(57)【特許請求の範囲】
【請求項１】
板状材に板厚と同寸法の幅を有する接合用溝を形成した半輪状部品群（１、２、３、４、５、６、７、８、９、１０）に、同様の接合用溝を有する垂直方向固定部品（１１、１２、１３）を３方向から接合用溝を介して差し込み、半球殻状（Ｐ）の部分を形成し、この半球殻状部分２組（Ｐ、Ｑ）を水平に組み合わせ、同じく接合用溝を有する水平方向固定部品（１４、１５）を垂直方向固定部品（１２、１３）の両端部の接合用溝に差し込むことによって２つの部分を固定し、全体を組み立てることを特徴とした組立式包装用容器。
【請求項２】
梱包物の形態に応じて、半輪状部品（１、２、３、４、５、６、７、８、９、１０）の梱包物に接する部分の形態を縮小あるいは変形させることによって、多様な形態の物品を収容することを可能にする請求項１記載の組立式包装用容器。
【請求項３】
半輪状部品（１、２、３、４、５、６、７、８、９、１０）の形態を拡大、縮小あるいは変形させ、それに応じて垂直方向固定部品（１１、１２、１３）の形態を変形させることによって多様な外形を創出することを可能にする請求項１記載の組立式包装用容器。
【請求項４】
板状材がダンボール材からなる請求項１記載の組立式包装用容器。
【請求項５】
板状材がそれぞれ木製素材、合成樹脂製素材、金属製素材及びダンボール材以外の紙素材からなる請求項１記載の組立式包装用容器。
【発明の詳細な説明】
【０００１】
【発明の属する技術分野】
本発明は、陳列、保管及び輸送の目的で使用するところの、物品を内部に入れて梱包するための包装用容器及びその構造に関するものである。
【０００２】
【従来の技術】
板状材を使用した包装用容器としてダンボールシートあるいはプラスティックシート製の包装用箱が一般的に知られているが、これらは板状材の主要面を形成する面を折り曲げ、あるいは組み合わせて箱状もしくは筒状の形態を形成し、物品を内部に収めるものであり、組立式容器に関しても同様の構造を有している。
【０００３】
【発明が解決しようとする課題】
従来の包装用容器が主に板状材の主要面において梱包内容物に接する構造を有するのに対して、本発明は板状材の厚さ方向を形成する面において梱包内容物に接する構造とすることによって、包装用容器として十分な強度を有し、容易に組み立てが可能であり、かつ多様な形態を可能にする包装用容器及びその構造を提供することを課題とする。
【０００４】
【課題を解決するための手段】
上記目的を達成するために、本発明における組立式包装用容器は、板状材に板厚と同寸法の幅を有する接合用溝を形成した半輪状部品群に、同様の接合用溝を有する垂直方向固定部品を３方向から接合用溝を介して差し込み、半球殻状の部分を形成し、この半球殻状部分２つを水平に組み合わせ、同じく接合用溝を有する水平方向固定部品を垂直方向固定部品の両端部の接合用溝に差し込むことによって２つの部分を固定し、全体を組み立てるものである。
【０００５】
上記接合用溝を設ける際に、半輪状部品にあっては十分な剛性を確保するために２箇所以上の接合用溝を設けることが効果的であり、また容易な組み立てを可能にするために２箇所を下回らない範囲で最小限の数の接合用溝を設けることが効果的である。
【０００６】
また、梱包物の形態に応じて、水平部品の梱包物に接する部分の形態を縮小あるいは変形させることによって、多様な形態の物品を収容することが可能になる。（図９）
【０００７】
また、容器の外形は、水平部品の形態を拡大、縮小あるいは変形させ、それに応じて垂直部品の形態を追従させることによって多様な外形を創出することを可能にする。（図１０）
【０００８】
上記のような構造を有する組立式包装用容器を構成する板状部品は、部品としての十分な剛性を有したものであれば、ダンボール材の他、木製素材、合成樹脂製素材、金属製素材及びダンボール材以外の紙素材から成るものとすることができる。
【０００９】
【発明の実施の形態】
以下、この発明の実施の形態について図面を参照して説明する。
【００１０】
この発明の組立式包装用容器は、板状材に板厚と同寸法の幅を有する接合用溝を形成した半輪状部品群１、２、３、４、５、６、７、８、９、１０に、同様の接合用溝を有する垂直方向固定部品１１、１２、１３を３方向から接合用溝を介して差し込み、半球殻状Ｐの部分を形成し、この半球殻状部分２組Ｐ、Ｑを水平に組み合わせ、同じく接合用溝を有する水平方向固定部品１４、１５を垂直方向固定部品１２、１３の両端部の接合用溝に差し込むことによって２つの部分を固定し、全体を組み立てるようにしたものである。
【００１１】
図１〜３は、この組立式包装用容器の組み立て方法を示すものである。
【００１２】
接合用溝は図５（ａ）、図５（ｂ）に示すように板状材の厚さと同じ寸法の幅を有し、例えば図４に示すように、半輪状部品１と垂直方向固定部品１２の接合はそれぞれ接合用溝１ｂと１２ａを垂直方向に差し込み、噛み合わせる。２つの部品はそれぞれ接合用溝内面と部品表面とが噛み合った状態における摩擦力をもって、接合が保持される。
【００１３】
図６に示す部品群は半球殻状部分を構成する部品１、２、３、４、５、６、７、８、９、１０、１１、１２、１３と水平方向固定部品１４、１５であり、各部品はそれぞれ前記の接合用溝を有している。以下に組み立ての詳細を説明する。
【００１４】
まず、半輪状部品１、２、３、４、５、６、７、８、９、１０と垂直方向固定部品１１を組み立てる。半輪状部品群と垂直方向固定部品１１において、接合用溝１ａと１１ａ、２ａと１１ｂ、３ａと１１ｃ、４ａと１１ｄ、５ａと１１ｅ、６ａと１１ｆ、７ａと１１ｇ、８ａと１１ｈ、９ａと１１ｉ、１０ａと１１ｊをそれぞれ接合する。
【００１５】
つぎに、垂直方向固定部品１２、１３を前記で組み立てられたものに接合する。接合用溝１２ａと１ｂ、１２ｂと３ｂ、１２ｃと５ｂ、１２ｄと７ｂ、１２ｅと９ｂ、また接合用溝１３ａと２ｂ、１３ｂと４ｂ、１３ｃと６ｂ、１３ｄと８ｂ、１３ｅと１０ｂをそれぞれ接合する。
【００１６】
ここで図２に示す半球殻状部分Ｐができあがる。同様にしてもう一方の半球殻状部分Ｑを組み立て、この２つの部分を図３に示すように水平に合わせ、２組の水平方向固定部品１４、１５をもってこれを固定する。
【００１７】
２組の垂直方向固定部品１２、１３の両端部と２組の水平方向固定部品１４、１５において、接合用溝１２ｆと１４ｂ、１３ｆと１４ａ、１２ｇと１５ｂ、１３ｇと１５ａをそれぞれ接合して、この組立式包装用容器の組み立てを完了する。
【００１８】
この発明に係る組立式包装用容器を構成する、板状部品の材料となるものとして、部品としての十分な剛性を有したものであれば、ダンボール材の他、木製素材、プラスティックス、アクリル等の合成樹脂製素材、金属製素材及びダンボール材以外の紙素材から成るものとすることができる。
【００１９】
以上、この発明の実施形態の一つを説明したが、この発明はこの一つの実施形態に限定されない。
【００２０】
図７（ａ）、図７（ｂ）及び図８は、上記において述べてきた一つの実施形態における組立式包装用容器の垂直方向の断面を示している。以下にこの実施形態からの応用例を示す。
【００２１】
図９において、この容器の内部に、例えば化粧品瓶のような形態を有する物品Ｘを入れた状態の、この組立式包装用容器の垂直方向の断面が示すように、多様な形態に応じて、水平部品の物品に接する部分の形態を縮小あるいは変形させることによって、物品を密着して収容することが可能になる。
【００２２】
また、図１０に示すように、水平部品の形態を拡大、縮小あるいは変形させ、それに応じて垂直部品の形態を追従させることによって多様な外形を創出することを可能にするものである。
【００２３】
【発明の効果】
この発明に係る組立式包装用容器は上述のような構造を有しており、包装用容器として十分な強度を有し、かつ容易に組み立てが可能であり、また組み立て前は板状小片であるため、かさばりにくく、収納及び輸送に便利である。
【００２４】
また、内部に物品を入れ、組み立てられたこの組立式包装用容器は、内部の物品を容器の外部から観察することが可能であり、陳列の用に供する容器としての効果がある。
【００２５】
さらに、この組立式包装用容器は梱包しようとする物品に対して、多様な形態に応ずる構造を有し、またこの組立式包装用容器自体の外形においても多様な形態をとることが可能な構造となっている。
【図面の簡単な説明】
【図１】この発明に係る組立式包装容器の実施例の組立前の状態を示す斜視図。
【図２】この発明に係る組立式包装容器の実施例の組立中の図で、半球殻状部分を形成した状態を示す斜視図。
【図３】この発明に係る組立式包装容器の実施例の完成した状態を示す斜視図。
【図４】２つの部品が接合用溝を介して接合される状態を示す斜視図。
【図５】接合用溝の形状を示す平面図及び断面図。
【図６】この発明に係る組立式包装容器の実施例を構成する部品群を示す平面図。
【図７】この発明に係る組立式包装容器の実施例を示す正面図及び平面図。
【図８】この発明に係る組立式包装容器の実施例を示す垂直方向断面図。
【図９】この発明に係る組立式包装容器の応用例を示す垂直方向断面図。
【図１０】この発明に係る組立式包装容器の応用例を示す垂直方向断面図。
【符号の説明】
１、２、３、４、５、６、７、８、９、１０    半輪状部品
１１、１２、１３    垂直方向固定部品
１４、１５    水平方向固定部品
Ｐ、Ｑ    半球殻状部分
１ａ、１ｂ、２ａ、２ｂ、３ａ、３ｂ、４ａ、４ｂ、５ａ、５ｂ、６ａ、６ｂ、７ａ、７ｂ、８ａ、８ｂ、９ａ、９ｂ、１０ａ、１０ｂ、１１ａ、１１ｂ、１１ｃ、１１ｄ、１１ｅ、１１ｆ、１１ｇ、１１ｈ、１１ｉ、１１ｊ、１２ａ、１２ｂ、１２ｃ、１２ｄ、１２ｅ、１３ａ、１３ｂ、１３ｃ、１３ｄ、１３ｅ、１４ａ、１４ｂ、１５ａ、１５ｂ    接合用Ｘ    梱包物品
【図１】
0004269042.tif 000002
【図２】
0004269042.tif 000003
【図３】
0004269042.tif 000004
【図４】
0004269042.tif 000005
【図５】
0004269042.tif 000006
【図６】
0004269042.tif 000007
【図７】
0004269042.tif 000008
【図８】
0004269042.tif 000009
【図９】
0004269042.tif 000010
【図１０】
0004269042.tif 000011